(57)【要約】【課題】セキュリティ性を向上させることが可能な電気錠システム等を提供する。【解決手段】電気錠システムは、暗証番号を記憶する携帯端末から送信される暗証番号を受信する通信部と、暗証番号を入力するための入力部と、電気錠と、この電気錠に対して施錠制御または解錠制御を行う制御部とを備えている。制御部は、通信部において携帯端末から受信した暗証番号と、携帯端末を保持するユーザによる操作によって入力部に入力された暗証番号との照合処理の結果に応じて、電気錠に対して解錠制御を行う。【選択図】図２
2016166486.tif 000002
【特許請求の範囲】
【請求項１】
暗証番号を記憶する携帯端末から送信される前記暗証番号を受信する通信部と、
前記暗証番号を入力するための入力部と、
電気錠と、
前記電気錠に対して施錠制御または解錠制御を行う制御部と
を備え、
前記制御部は、前記通信部において前記携帯端末から受信した前記暗証番号と、前記携帯端末を保持するユーザによる操作によって前記入力部に入力された前記暗証番号との照合処理の結果に応じて、前記電気錠に対して前記解錠制御を行う
電気錠システム。
【請求項２】
前記携帯端末は、１または複数の電気錠に固有の識別番号を更に記憶しており、
前記通信部は、前記携帯端末から送信される前記識別番号を更に受信し、
前記制御部は、前記通信部において前記携帯端末から受信した前記識別番号が、前記電気錠における前記識別番号と一致した場合にのみ、前記照合処理を実行する
請求項１に記載の電気錠システム。
【請求項３】
前記識別番号が、前記暗証番号と同じタイミングにて前記携帯端末から送信される
請求項２に記載の電気錠システム。
【請求項４】
前記電気錠が複数設けられている
請求項２または請求項３に記載の電気錠システム。
【請求項５】
前記暗証番号が、前記携帯端末に固有の端末番号である
請求項１ないし請求項４のいずれか１項に記載の電気錠システム。
【請求項６】
前記電気錠システムでの利用が許可された１または複数の携帯端末における前記端末番号のリストを予め登録しておくための記憶部を更に備え、
前記制御部は、前記通信部において受信した前記暗証番号としての前記端末番号が、前記記録部に登録されている前記端末番号のリストに存在する場合にのみ、前記照合処理を実行する
請求項５に記載の電気錠システム。
【請求項７】
前記制御部は、前記照合処理において正常認証された場合に、前記電気錠に対して前記解錠制御を行う
請求項１ないし請求項６のいずれか１項に記載の電気錠システム。
【請求項８】
前記通信部、前記入力部、前記電気錠および前記制御部が、一体化された単一の装置に内蔵されているか、あるいは、互いに別体の複数の装置に分かれて内蔵されている
請求項１ないし請求項７のいずれか１項に記載の電気錠システム。
【請求項９】
前記入力部が、テンキーを用いて構成されている
請求項１ないし請求項８のいずれか１項に記載の電気錠システム。
【請求項１０】
前記携帯端末が、スマートフォンまたは専用端末機である
請求項１ないし請求項９のいずれか１項に記載の電気錠システム。
【請求項１１】
暗証番号の照合処理を利用したユーザの認証システムであって、
前記暗証番号を記憶する携帯端末と、
電気錠システムと
を備え、
前記電気錠システムは、
前記携帯端末から送信される前記暗証番号を受信する通信部と、
前記暗証番号を入力するための入力部と、
電気錠と、
前記電気錠に対して施錠制御または解錠制御を行う制御部と
を有し、
前記制御部は、前記通信部において前記携帯端末から受信した前記暗証番号と、前記携帯端末を保持する前記ユーザによる操作によって前記入力部に入力された前記暗証番号との照合処理の結果に応じて、前記電気錠に対して前記解錠制御を行う
認証システム。
【請求項１２】
携帯端末と、電気錠を有する電気錠システムとを備えたユーザの認証システムに適用される前記携帯端末であって、
前記認証システムに適用される暗証番号を記憶する記憶部と、
前記携帯端末を保持する前記ユーザによる操作によって前記電気錠システムに入力された前記暗証番号との照合処理の結果に応じて前記電気錠に対する解錠制御が前記電気錠システムにおいて実行されるように、前記記憶部に記憶されている前記暗証番号を前記電気錠システムへ送信する通信部と
を備えた携帯端末。
【発明の詳細な説明】
【技術分野】
【０００１】
本発明は、暗証番号の照合処理を利用したユーザの認証システム、ならびにそのような認証システムに適用される電気錠システムおよび携帯端末に関する。
【背景技術】
【０００２】
従来、暗証番号の照合処理を利用して電気錠に対する解錠制御を行うようにした電気錠システムが提案されている（例えば、特許文献１，２参照）。
【先行技術文献】
【特許文献】
【０００３】
【特許文献１】特開平２−３５１７７号公報
【特許文献２】特開平２−２５６７７４号公報
【発明の概要】
【発明が解決しようとする課題】
【０００４】
ところで、このような電気錠システムでは一般に、暗証番号を利用した照合処理（ユーザの認証）を行っていることから、セキュリティ性を向上させることが求められている。したがって、セキュリティ性を向上させる手法の提案が望まれる。
【０００５】
本発明はかかる問題点に鑑みてなされたもので、その目的は、セキュリティ性を向上させることが可能な電気錠システム、認証システムおよび携帯端末を提供することにある。
【課題を解決するための手段】
【０００６】
本発明の電気錠システムは、暗証番号を記憶する携帯端末から送信される暗証番号を受信する通信部と、暗証番号を入力するための入力部と、電気錠と、この電気錠に対して施錠制御または解錠制御を行う制御部とを備えたものである。この制御部は、通信部において携帯端末から受信した暗証番号と、携帯端末を保持するユーザによる操作によって入力部に入力された暗証番号との照合処理の結果に応じて、電気錠に対して解錠制御を行う。
【０００７】
本発明の認証システムは、暗証番号の照合処理を利用したユーザの認証システムであって、暗証番号を記憶する携帯端末と、上記本発明の電気錠システムとを備えたものである。
【０００８】
本発明の携帯端末は、携帯端末と電気錠を有する電気錠システムとを備えたユーザの認証システムに適用されるものであって、この認証システムに適用される暗証番号を記憶する記憶部と、携帯端末を保持するユーザによる操作によって電気錠システムに入力された暗証番号との照合処理の結果に応じて電気錠に対する解錠制御が電気錠システムにおいて実行されるように、記憶部に記憶されている暗証番号を電気錠システムへ送信する通信部とを備えたものである。
【発明の効果】
【０００９】
本発明の電気錠システム、認証システムおよび携帯端末によれば、セキュリティ性を向上させることが可能となる。
【図面の簡単な説明】
【００１０】
【図１】本発明の一実施の形態に係る認証システムの概要構成例を表す外観模式図である。
【図２】図１に示した認証システムの詳細構成例を表すブロック図である。
【図３】図２に示した認証システムの動作例を表す流れ図である。
【図４】変形例１に係る認証システムの構成例を表すブロック図である。
【図５】変形例２に係る認証システムの概要構成例を表す模式図である。
【図６】図５に示した認証システムの動作例を表す流れ図である。
【図７】変形例３に係る認証システムの概要構成例を表す外観模式図である。
【発明を実施するための形態】
【００１１】
以下、本発明の実施の形態について、図面を参照して詳細に説明する。なお、説明は以下の順序で行う。
１．実施の形態（電気錠システムの各ブロックを一体化された単一の装置に内蔵した例）
２．変形例
変形例１（利用が許可された携帯端末のリストを予め登録しておく例）
変形例２（電気錠に固有の識別番号も携帯端末に記憶されて送信される例）
変形例３（電気錠システムの各ブロックを複数の装置に分けて内蔵した例）
３．その他の変形例
【００１２】
＜１．実施の形態＞
［構成］
図１は、本発明の一実施の形態に係る認証システム（認証システム３）の概要構成例を、外観模式図で表したものである。この認証システム３は、図１に示したように、例えば、複数の部屋（住戸）を有するマンションなどの集合住宅における、各住戸の扉６に適用（設置）されるシステムであり、暗証番号の照合を使用したユーザの認証システムとなっている。
【００１３】
認証システム３は、図１に示したように、ユーザ（居住者，住人）９が保有（所持）する携帯端末１と、電気錠（後述する電気錠２５）を有する電気錠システム２とを備えている。ここで、携帯端末１は本発明における「携帯端末」の一具体例に対応し、電気錠システム２は本発明における「電気錠システム」の一具体例に対応している。
【００１４】
この認証システム３では、例えば図１に示したように、扉６に設けられた電気錠システム２における電気錠の施錠および解錠が、電気錠システム２における制御機構（制御ユニット；後述する制御機構２４）によって制御されるようになっている。また、この制御機構と携帯端末１との間は、図１に示したように、無線通信Ｃ１２（非接触通信）を行うことが可能となっている。
【００１５】
図２は、このような認証システム３の詳細構成例をブロック図で表したものである。認証システム３は、上記したように、携帯端末１および電気錠システム２を備えている。
【００１６】
（携帯端末１）
携帯端末１は、上記したように、例えば、ユーザ９によって所持される携帯型の端末機であり、電気錠システム２における上記した制御機構（後述する通信部２１）との間で無線通信Ｃ１２を行う機能を有している。この携帯端末１は、図２に示したように、通信部１１、記憶部１２および制御部１３を有している。なお、このような携帯端末１は、例えば、通話機能を有する携帯電話機（スマートフォン等）、あるいは、認証システム３に適用される専用端末機等により構成されている。
【００１７】
通信部１１は、図２に示したように、電気錠システム２内の後述する通信部２１との間で無線通信Ｃ１２を行う機能を有している。これにより携帯端末１と電気錠システム２との間で、後述する暗証番号ＰＷｍを含む各種情報の無線通信（ワイヤレスでの送受信）を行うことが可能となっている。また、この無線通信Ｃ１２は、例えば、ＬＦ波（Low Frequency；長波）やＶＨＦ波（Very Low Frequency；超長波）、ＢＬＥ（Bluetooth（登録商標） Low Energy）通信等の電波式の通信などで行われ、その際の通信範囲（送受信が可能な範囲）が所定の距離（例えば数ｍ程度）に設定されている。
【００１８】
記憶部１２は、例えば図２に示したように、携帯端末１に固有のＰＩＮ（Personal Identification Number）コードを含め、各種のデータを記憶する部分である。このＰＩＮコードは、後述するように、認証システム３に適用される暗証番号（暗証番号ＰＷｍ）として利用されるようになっている。このような記憶部１２は、例えば、磁気的記録媒体、光学的記憶媒体、または、ＲＯＭ（Read Only Memory），ＲＡＭ（Random Access Memory）等の半導体メモリなどの、各種の記録媒体により構成されている。
【００１９】
制御部１３は、各種データの入出力制御および処理制御や通信制御等、携帯端末１における各種の制御を行うものである。具体的には、制御部１３は、例えば図２に示したように、記憶部１２に記憶されている暗証番号ＰＷｍを、無線通信Ｃ１２によって電気錠システム２へ送信する制御を行うようになっている。このような制御部１３は、例えば、ＣＰＵ（Central Processing Unit）やＲＯＭ、ＲＡＭ等を用いたマイクロコンピューターなどにより構成されている。なお、この制御部１３における制御動作の詳細については、後述する（図３）。
【００２０】
（電気錠システム２）
電気錠システム２は、図２に示したように、入力部２０、制御機構２４および電気錠２５を有している。なお、本実施の形態では図１に示したように、この電気錠システム２を構成する各ブロック（入力部２０、制御機構２４および電気錠２５）が、一体化された単一の装置に内蔵されている。換言すると、この例では電気錠システム２が、単一の装置により構成されている。
【００２１】
入力部２０は、携帯端末１を所持するユーザ９によって暗証番号（暗証番号ＰＷin）を入力するための部材であり、例えば、「０」〜「９」の各数字および所定の英字のキーがマトリクス状に配置されたものとなっている。つまり、入力部２０は、例えばテンキーを用いて構成されている。なお、セキュリティ向上を図るため、例えば液晶（ＬＣＤ：Liquid Crystal Display）パネルや有機ＥＬ（Electro Luminescence）パネル等の各種の表示パネルを用いて入力部２０（テンキー）を構成し、このテンキー内のキー配列がランダムに変化するようにしてもよい。このような入力部２０を用いてユーザ９から入力された操作信号（暗証番号ＰＷin等）は、制御機構２４内の後述する制御部２３へ出力されるようになっている。
【００２２】
制御機構２４は、携帯端末１との間で無線通信Ｃ１２を行う機能を有しており、電気錠２５に対して施錠制御または解錠制御を行うものである。この制御機構２４は、図２に示したように、前述した通信部２１に加え、記憶部２２および制御部２３を有している。なお、制御部２３は、本発明における「制御部」の一具体例に対応している。
【００２３】
通信部２１は、図２に示したように、携帯端末１内の通信部１１との間で無線通信Ｃ１２を行うものである。これにより通信部２１は、携帯端末１から送信される暗証番号ＰＷｍを受信することが可能となっている。このような通信部２１は、例えば、無線通信にて各種情報のリード（読み取り）およびライト（書き込み）が可能な記憶領域を有するＩＣチップを用いた、ＲＦＩＤ（Radio Frequency Identification Tag）タグにより構成されている。
【００２４】
記憶部２２は、各種のデータを記憶する部分である。ただし、この記憶部２２には前述した記憶部１２とは異なり、暗証番号（暗証番号ＰＷｍ）は記憶されていない。このような記憶部２２は記憶部１２と同様に、各種の記録媒体により構成されている。
【００２５】
制御部２３は、各種データの入出力制御および処理制御や通信制御、照合処理等、制御機構２４における各種の制御を行うと共に、電気錠２５に対する施錠制御および解除制御を行うものである。具体的には、制御部２３は、例えば、ユーザ９による操作によって入力部２０に入力された暗証番号ＰＷinと、携帯端末１（通信部１１）から送信されて通信部２１において受信した暗証番号ＰＷｍと、の照合処理を行う機能を有している。また、制御部２３は、このような照合処理の結果（照合結果）に応じて、電気錠２５に対して解除制御を行う機能を有している。このような制御部２３は、前述した制御部１３と同様に、例えばＣＰＵやＲＯＭ、ＲＡＭ等を用いたマイクロコンピューターなどにより構成されている。なお、この制御部２３における制御動作の詳細については、後述する（図３）。
【００２６】
電気錠２５は、例えばモータやアクチュエータ等の駆動機構を含んで構成されており、例えば扉６に対して１または複数個設けられている。この電気錠２５は、上記したように、制御機構２４内の制御部２３によって、その施解錠（施錠および解錠）の制御がなされるようになっている。
【００２７】
［動作］
（Ａ．基本動作）
この電気錠システム５では、例えば図１および図２に示したように、ユーザ９が所持する携帯端末１を用いて、以下のようにして、ユーザの認証処理（暗証番号の照合処理、および、その照合結果に応じた電気錠システム２内の電気錠２５に対する解除制御）が行われる。
【００２８】
すなわち、まず、この携帯端末１と電気錠システム２における制御機構２４内の通信部２１との間の無線通信Ｃ１２（非接触通信）によって、携帯端末１内の記憶部１２に記憶されている暗証番号ＰＷｍが、携帯端末１（通信部１１）から制御機構２４内（通信部２１）へと送信される。次いで、その送信された暗証番号ＰＷｍと、電気錠システム２における入力部２０においてユーザ９による操作によって入力された暗証番号ＰＷinと、の照合処理が行われる。そして、これらの暗証番号ＰＷinと暗証番号ＰＷｍとが一致して正常認証された場合には、制御機構２４内の制御部２３によって、電気錠システム２における電気錠２５に対する解錠制御が行われる。
【００２９】
（Ｂ．詳細動作）
続いて図３を参照して、このような認証システム３における詳細動作例について説明する。
【００３０】
図３は、図１および図２に示した認証システム３の動作例を流れ図で表したものであり、携帯端末１および電気錠システム２（制御機構２４）の各動作例（暗証番号の事前の登録方法、および、暗証番号の照合処理を利用したユーザの認証方法）について、時系列に沿って示している。
【００３１】
（暗証番号の事前の登録方法）
この動作例では、まず、携帯端末１内の記憶部１２に、照合処理を行うための暗証番号ＰＷｍが、事前に登録される（図３のステップＳ１００）。具体的には、ユーザ９自身によって登録作業が行われるか、あるいは、携帯端末１の製造時に予め登録されているようにしてもよい。また、この際に、以下説明するユーザ認証のための専用のソフトウェア（アプリケーションソフトウェア）を、所定のウェブサイト（サーバ）から携帯端末１に事前にインストールしておくようにしてもよい。このようにして、以下説明するユーザ認証の前に、暗証番号ＰＷｍ（照合用番号）の事前登録が行われる。なお、このような事前登録の際に、電気錠システム２（制御機構２４）側では、暗証番号等の事前の登録作業は不要となっている。
【００３２】
（ユーザの認証方法）
続いて、暗証番号の照合処理を利用したユーザ認証の際には、まず、制御機構２４が、携帯端末１からの無線通信Ｃ１２による信号受信の待機状態となる（ステップＳ１０１）。
【００３３】
ここで、このような信号受信の待機状態となるのに際しては、例えば以下の２つの手法（手法１，手法２）が挙げられる。
・（手法１）：制御機構２４が、ユーザ９による所定の操作により得られる操作信号に応じて起動し、信号受信の待機状態となる手法（例えば、通信部２１に設けられた所定のスイッチを押すことで、制御機構２４が起動して信号受信の待機状態となる手法。）。
・（手法２）：制御機構２４が常時起動しており、例えば間欠的に信号受信の待機（検出）をする手法。
【００３４】
手法１の場合、ユーザ９による所定の操作（スイッチを押すことなど）が必要となるため、ひと手間かかることになる。ただし、そのような操作が行われるまでは起動しないため、制御機構２４における消費電力の削減が可能となり、特に制御機構２４や電気錠２５が電池電源の場合等には利点が大きいと言える。一方、手法２の場合、そのようなユーザ９による所定の操作が不要となるため、手法１の場合と比べ、ユーザ９の手間が省けて利便性が向上するという利点がある。ただし、制御機構２４が常時起動していて例えば間欠的に信号検知していることから、手法１の場合と比べ、制御機構２４における消費電力が増加してしまうことになる。
【００３５】
次いで、このようにして制御機構２４が信号受信の待機状態になると、例えば、上記手法１の場合における制御機構２４の起動、あるいは、上記手法２の場合における携帯端末１からの所定の信号受信に応じて、制御機構２４は以下の動作を行う。すなわち、制御機構２４は、無線通信Ｃ１２を利用して、携帯端末１に記憶されている暗証番号ＰＷｍを電気錠システム２へ送信するよう、その携帯端末１に対して要求する（ステップＳ１０２）。
【００３６】
このような送信要求を受信した携帯端末１における通信部１１は、記憶部１２に記憶されている暗証番号ＰＷｍを、制御部１３の指示に従い、無線通信Ｃ１２によって電気錠システム２側（制御機構２４における通信部２１）へ送信する（ステップＳ１０３）。なお、このようにして電気錠システム２側へ送信された暗証番号ＰＷｍは、通信部２１を介して制御部２３へと供給される。
【００３７】
次に、ユーザ９によって電気錠システム２における入力部２０が操作されることで、電気錠システム２（制御機構２４）に暗証番号ＰＷinが入力されると（ステップＳ１０４）、この電気錠システム２（制御機構２４）において以下の動作がなされる。
【００３８】
すなわち、制御機構２４内の制御部２３は、このようにしてユーザ９による操作によって入力部２０に入力された暗証番号ＰＷinと、上記のようにして通信部２１を介して携帯端末１側から受信した暗証番号ＰＷｍと、の照合処理を行う（ステップＳ１０５）。具体的には、制御部２３は、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、例えば照合回数の制限を設ける（照合回数が所定の上限回数を超えた場合には、照合処理を強制的に終了する等）などの対応策を取ることで、セキュリティ性を確保するようにするのが望ましい。
【００３９】
ここで、この照合処理において正常認証されなかった場合（ＰＷin＝ＰＷｍを満たさない場合）には（ステップＳ１０５：Ｎ）、制御部２３は電気錠２５に対して解錠制御を行わない（電気錠２５を非解錠として施錠状態のままとする）ようにする（ステップＳ１０６）。そして、制御機構２４は、再び前述したステップＳ１０１へと戻ることになる。
【００４０】
一方、照合処理において正常認証された場合（ＰＷin＝ＰＷｍを満たす場合）には（ステップＳ１０５：Ｙ）、制御部２３は電気錠２５に対して解錠制御を行う（ステップＳ１０７）。これにより、ユーザ９は扉６を開くことができるようになり、図３に示した一連の動作例が終了となる。
【００４１】
［作用・効果］
このようにして本実施の形態の認証システム３では、電気錠システム２において、暗証番号ＰＷｍを記憶する携帯端末１から送信された暗証番号ＰＷｍと、その携帯端末１を保持するユーザ９による操作によって入力部２０に入力された暗証番号ＰＷinとの照合結果に応じて、電気錠２５に対する解錠制御が行われる。換言すると、携帯端末１は、保持するユーザ９による操作によって電気錠システム２に入力された暗証番号ＰＷinとの照合処理の結果に応じて電気錠２５に対する解錠制御が電気錠システム２において実行されるように、記憶部１２に記憶されている暗証番号ＰＷｍを電気錠システム２へ送信する。
【００４２】
したがって、仮に、入力部２０への入力の際に暗証番号ＰＷinが他人に読み取られたり、暗証番号ＰＷinが外部へ流出したとしても、その暗証番号ＰＷin（＝ＰＷｍ）を記憶する携帯端末１を保持するユーザ９以外によっては、照合処理の際に正常な照合結果（正常認証）が得られないことになる。よって、本実施の形態の認証システム３では、暗証番号を利用した照合処理を行う際の、セキュリティ性を向上させることが可能となる。
【００４３】
また、暗証番号ＰＷｍとして、例えば携帯端末１に固有のＰＩＮコード等を利用するようにした場合には、ユーザ９（携帯端末１）に応じて異なる暗証番号ＰＷｍ，ＰＷinが使用されることから、以下の効果も得られる。すなわち、従来の認証システム（電気錠システム）とは異なり、入力部２０（テンキー等）において常に特定の番号等が入力される（例えば特定のボタンが押される）わけではないことから、例えば特定のボタン等の劣化状態から暗証番号ＰＷinを他人に読み取られるおそれを回避することができる。よって、セキュリティ性の更なる向上を図ることが可能になると共に、入力部２０の構造を簡素化することができる（例えば、テンキー内のキー配列をランダムに変化させたりしなくても済むようになる）ことから、コスト削減を図ることも可能となる。加えて、例えば、携帯端末１に固有のＰＩＮコード等の利用状況（ログ情報）を取得することで、従来の認証システム（電気錠システム）とは異なり、認証システム３を利用したユーザ９（解錠者）を特定することも可能となる。
【００４４】
更に、従来の認証システム（電気錠システム）とは異なり、電気錠システム２側（制御機構２４）には暗証番号ＰＷｍの事前登録等の設定作業が不要となり、その事前設定した暗証番号ＰＷｍをユーザへ周知させることも不要となることから、ユーザの利便性を向上させることも可能となる。
【００４５】
＜２．変形例＞
続いて、上記実施の形態の変形例（変形例１〜３）について説明する。なお、以下では、実施の形態における構成要素と同一のものには同一の符号を付し、適宜説明を省略する。
【００４６】
［変形例１］
（構成）
図４は、変形例１に係る認証システム（認証システム３Ａ）の構成例を、ブロック図で表したものである。この図４に示したように、本変形例の認証システム３Ａは、携帯端末１と、本変形例に係る電気錠システム（電気錠システム２Ａ）とを備えている。
【００４７】
電気錠システム２Ａは、入力部２０、制御機構２４Ａおよび電気錠２５を有している。すなわち、この電気錠システム２Ａは、実施の形態の電気錠システム２において、制御機構２４の代わりに制御機構２４Ａを設けたものに対応しており、他の構成は基本的に同様となっている。
【００４８】
制御機構２４Ａは、通信部２１、記憶部２２Ａおよび制御部２３を有している。すなわち、この制御機構２４Ａは、実施の形態の制御機構２４において、記憶部２２の代わりに記憶部２２Ａを設けたものに対応しており、他の構成は基本的に同様となっている。
【００４９】
記憶部２２Ａは、記憶部２２における記憶情報に加え、更に、例えば図４に示した利用許可端末番号リストＬが記憶されているようにしたものである。この利用許可端末番号リストＬは、電気錠システム２Ａでの利用が許可された携帯端末における暗証番号ＰＷｍの一覧を並べてリスト状にしたデータである。また、本変形例では、この利用許可端末番号リストＬにおける暗証番号ＰＷｍとして、各携帯端末に固有の端末番号（前述したＰＩＮコード等）が用いられている。
【００５０】
この利用許可端末番号リストＬには、この例では図４に示したように、認証システム３Ａを構成する（電気錠システム２Ａでの利用が許可された）携帯端末１については、それに固有の端末番号としての暗証番号ＰＷｍ（＝ＰＷｍ１）が、含まれる（登録されている）ようになっている。一方、認証システム３Ａを構成しない（電気錠システム２Ａでの利用が許可されていない）携帯端末４については、それに固有の端末番号としての暗証番号ＰＷｍ（＝ＰＷｍ２）は、含まれない（登録されていない）ようになっている。
【００５１】
（作用・効果）
このような構成により本変形例の認証システム３Ａでは、以下のようにしてユーザの認証処理が行われる。すなわち、まず、本変形例においても、基本的には実施の形態の認証システム３と同様にして、ユーザの認証処理が行われる。
【００５２】
また、本変形例では特に、上記した利用許可端末番号リストＬ（電気錠システム２Ａでの利用が許可された携帯端末における暗証番号ＰＷｍ（その携帯端末に固有の端末番号））が、電気錠システム２Ａの記憶部２２Ａに記憶されている。そして、本変形例における制御部２３は、通信部２１において受信した暗証番号ＰＷｍとしての端末番号が、記録部２２Ａに登録されている利用許可端末番号リストＬに存在する場合にのみ、その暗証番号ＰＷｍと暗証番号ＰＷinとの照合処理を実行する。
【００５３】
具体的には、図４に示した例では、携帯端末１から送信された暗証番号ＰＷｍ１については、利用許可端末番号リストＬに存在することから、制御部２３は、その暗証番号ＰＷｍ（＝ＰＷｍ１）と暗証番号ＰＷinとの照合処理を実行する。一方、携帯端末４から送信された暗証番号ＰＷｍ２については、利用許可端末番号リストＬに存在しないことから、制御部２３は、その暗証番号ＰＷｍ（＝ＰＷｍ２）と暗証番号ＰＷinとの照合処理を実行しない。
【００５４】
したがって本変形例では、例えばこの携帯端末４のように、認証システム３Ａを構成しない（電気錠システム２Ａでの利用が許可されていない）携帯端末を利用したユーザ認証（部外者によるユーザ認証）を弾く（禁止する）ことができるようになる。よって、暗証番号を利用した照合処理を行う際の、セキュリティ性を更に向上させることが可能となる。
【００５５】
また、このような携帯端末に固有の端末番号として、ＰＩＮコード等を利用するようにすれば、特に専用の端末番号を別途設定しておくことなく、既存のデータをそのまま利用することができ、利便性を向上させることが可能となる。
【００５６】
［変形例２］
（構成）
図５は、変形例２に係る認証システム（認証システム３Ｂ）の構成例を、模式図で表したものである。この図５に示したように、本変形例の認証システム３Ｂは、複数（この例では２つ）の携帯端末１Ｂａ，１Ｂｂと、複数（この例では２つ）の電気錠システム２Ｂａ，２Ｂｂとを備えている。つまり、この認証システム３Ｂは、複数の携帯端末１Ｂａ，１Ｂｂと、複数（この例では２つ）の電気錠２５とを組み合わせた構成（複数：複数の構成）となっている。
【００５７】
携帯端末１Ｂａ，１Ｂｂはそれぞれ、実施の形態の携帯端末１において、記憶部１２の代わりに記憶部１２Ｂを設けたものに対応しており、他の構成は基本的に同様となっている。
【００５８】
記憶部１２Ｂは、記憶部１２における記憶情報に加え、更に、各電気錠２５に固有の識別番号を記憶するようにしたものである。具体的には、この例では、携帯端末１Ｂａにおける記憶部１２Ｂには、電気錠システム２Ｂａにおける電気錠２５に固有の識別番号ＩＤａと、電気錠システム２Ｂｂにおける電気錠２５に固有の識別番号ＩＤｂと、の双方が記憶されている。一方、この例では、携帯端末１Ｂｂにおける記憶部１２Ｂには、電気錠システム２Ｂａにおける電気錠２５に固有の識別番号ＩＤａのみが記憶され、電気錠システム２Ｂｂにおける電気錠２５に固有の識別番号ＩＤｂについては、記憶されていない。
【００５９】
電気錠システム２Ｂａ，２Ｂｂはそれぞれ、実施の形態の電気錠システム２において、記憶部２２の代わりに記憶部２２Ｂを設けたものに対応しており、他の構成は基本的に同様となっている。
【００６０】
記憶部２２Ｂは、記憶部２２における記憶情報に加え、更に、自身の電気錠システムにおける電気錠２５に固有の識別番号を記憶するようにしたものである。具体的には、この例では、電気錠システム２Ｂａにおける記憶部２２Ｂには、その電気錠システム２Ｂａにおける電気錠２５に固有の識別番号ＩＤａが記憶されている。また、この例では、電気錠システム２Ｂｂにおける記憶部２２Ｂには、その電気錠システム２Ｂｂにおける電気錠２５に固有の識別番号ＩＤｂが記憶されている。
【００６１】
また、これらの電気錠システム２Ｂａ，２Ｂｂではそれぞれ、通信部２１において、携帯端末１Ｂａ，１Ｂｂから送信される識別番号ＩＤａ，ＩＤｂを、実施の形態で説明した暗証番号ＰＷｍとともに受信するようになっている。そして、電気錠システム２Ｂａ，２Ｂｂにおける制御部２３はそれぞれ、そのようにして受信した識別番号ＩＤａ，ＩＤｂが、自身における電気錠２５の識別番号と一致した場合にのみ、暗証番号ＰＷｍと暗証番号ＰＷinとの照合処理を実行するようになっている。
【００６２】
（作用・効果）
このような構成により本変形例の認証システム３Ｂでは、以下のようにしてユーザの認証処理が行われる。
【００６３】
すなわち、まず、本変形例においても、基本的には実施の形態の認証システム３と同様にして、ユーザの認証処理が行われる。
【００６４】
また、特に本変形例では、上記した各電気錠に固有の識別番号を利用して、以下のようにしてユーザの認証処理が行われる。
【００６５】
図６は、図５に示した認証システム３Ｂの動作例を流れ図で表したものであり、携帯端末１Ｂａ，１Ｂｂおよび電気錠システム２Ｂａ，２Ｂｂ（制御機構２４）の各動作例について、時系列に沿って示している。
【００６６】
この動作例ではまず、実施の形態で説明した図３のステップＳ１００と同様にして、携帯端末１Ｂａ，１Ｂｂ内の記憶部１２Ｂに、暗証番号ＰＷｍとともに、上記した識別番号ＩＤ（識別番号ＩＤａ，ＩＤｂ）が事前に登録される（図６のステップＳ２００）。
【００６７】
次いで、ステップＳ１０１と同様の手法（前述した手法１または手法２等）によって、制御機構２４が、携帯端末１Ｂａ，１Ｂｂからの無線通信Ｃ１２による信号受信の待機状態となる（ステップＳ２０１）。続いて、ステップＳ１０２と同様にして、制御機構２４は、無線通信Ｃ１２を利用して、携帯端末１Ｂａ，１Ｂｂに記憶されている暗証番号ＰＷｍとともに、上記した識別番号ＩＤを電気錠システム２Ｂａ，２Ｂｂへ送信するよう、その携帯端末１Ｂａ，１Ｂｂに対して要求する（ステップＳ２０２）。
【００６８】
そして、このような送信要求を受信した携帯端末１Ｂａ，１Ｂｂにおける通信部１１は、記憶部１２Ｂに記憶されている暗証番号ＰＷｍおよび識別番号ＩＤをそれぞれ、制御部１３の指示に従い、無線通信Ｃ１２によって電気錠システム２Ｂａ，２Ｂｂ側へ送信する（ステップＳ２０３）。つまりこの例では、識別番号ＩＤが、暗証番号ＰＷｍと略同じタイミング（望ましくは同じタイミング）にて、携帯端末１Ｂａ，１Ｂｂから送信されるようになっている。なお、このようにして電気錠システム２Ｂａ，２Ｂｂ側へ送信された暗証番号ＰＷｍおよび識別番号ＩＤはそれぞれ、通信部２１を介して制御部２３へと供給される。
【００６９】
次に、ステップＳ１０４と同様にして、ユーザによって電気錠システム２Ｂａ，２Ｂｂに暗証番号ＰＷinが入力されると（ステップＳ２０４）、これらの電気錠システム２Ｂａ，２Ｂｂ（制御機構２４）において以下の動作がなされる。
【００７０】
すなわち、まず、制御機構２４内の制御部２３は、携帯端末１Ｂａ，１Ｂｂ側から送信された識別番号ＩＤと、自身（電気錠システム２Ｂａまたは電気錠システム２Ｂｂ）の電気錠２５における識別番号ＩＤとが一致するのか否かを判断する（ステップＳ２０５）。
【００７１】
ここで、これらの識別番号ＩＤ同士が一致しないと判断された場合には（ステップＳ２０５：Ｎ）、制御部２３は電気錠２５に対して解錠制御を行わない（電気錠２５を非解錠として施錠状態のままとする）ようにする（ステップＳ２０６）。一方、これらの識別番号ＩＤ同士が一致すると判断された場合には（ステップＳ２０６：Ｙ）、次に、以下説明する照合処理（ステップＳ２０７）へと進む。すなわち、制御部２３は、これらの識別番号ＩＤ同士が一致した場合にのみ、暗証番号ＰＷｍと暗証番号ＰＷinとの照合処理を実行するようになっている。
【００７２】
具体的には、図５に示した例では、携帯端末１Ｂａには識別番号ＩＤａ，ＩＤｂの双方が記憶されていることから、この携帯端末１Ｂａにとっては、電気錠システム２Ｂａ，２Ｂｂの双方における電気錠２５について、照合処理を実行する対象となる。一方、携帯端末１Ｂｂには識別番号ＩＤａのみが記憶されていることから、この携帯端末１Ｂｂにとっては、電気錠システム２Ｂａにおける電気錠２５については照合処理を実行する対象となるが、電気錠システム２Ｂｂにおける電気錠２５については照合処理を実行する対象とならない。つまり、識別番号ＩＤａ，ＩＤｂを利用することで、複数の電気錠システム２Ｂａ，２Ｂｂにおいて照合処理の実行対象となる携帯端末が選択される（制限される）ようになっている。
【００７３】
なお、これ以降の暗証番号ＰＷｍと暗証番号ＰＷinとの照合処理（ステップＳ２０７）、および、電気錠２５に対する解錠制御（ステップＳ２０８）については、図３において説明したステップＳ１０５，Ｓ１０７とそれぞれ同様であるため、その説明を省略する。以上で、図６に示した一連の動作例が終了となる。
【００７４】
このようにして本変形例の認証システム３Ｂでは、電気錠システム２Ｂａ，２Ｂｂにおいて受信した識別番号ＩＤが、自身における電気錠２５の識別番号ＩＤと一致した場合にのみ、暗証番号ＰＷｍと暗証番号ＰＷinとの照合処理を実行するようにしたので、実施の形態における効果に加え、例えば以下の効果を得ることが可能となる。すなわち、各電気錠２５に固有の識別番号ＩＤを利用することで、複数の電気錠システム２Ｂａ，２Ｂｂにおいて、照合処理の実行対象となる携帯端末を選択する（制限する）ことができるようになる。よって、暗証番号を利用した照合処理を行う際の、セキュリティ性を更に向上させることが可能となる。
【００７５】
なお、本変形例においても、前述した変形例１における手法を組み合わせて利用するようにしてもよい。
【００７６】
［変形例３］
図７は、変形例３に係る認証システム（認証システム３Ｃ）の概要構成例を、外観模式図で表したものである。この図７に示したように、本変形例の認証システム３Ｃは、携帯端末１と、本変形例に係る電気錠システム（電気錠システム２Ｃ）とを備えている。
【００７７】
電気錠システム２Ｃは、実施の形態で説明した電気錠システム２とは異なり、この電気錠システム２Ｃを構成する各ブロック（入力部２０、制御機構２４および電気錠２５）が、互いに別体の複数の装置に分かれて内蔵されている。換言すると、電気錠システム２Ｃは、複数の装置により構成されている。具体的には、電気錠システム２Ｃは、この例では図７に示したように、入力部２０を内蔵する装置と、制御機構２４を内蔵する装置と、２つの電気錠５を個別に内蔵する装置とにより構成されている。そして、入力部２０と制御機構２４との間は、有線または無線の通信Ｃ１０により接続されていると共に、制御機構２４と各電気錠２５との間も電気的に接続されている。
【００７８】
このような構成の電気錠システムＣを含む認証システム３Ｃにおいても、基本的には実施の形態の認証システム３と同様の効果を得ることが可能である。
【００７９】
なお、本変形例においても、これまでに説明した変形例１，２における手法を組み合わせて利用するようにしてもよい。
【００８０】
＜３．その他の変形例＞
以上、実施の形態および変形例を挙げて本発明を説明したが、本発明はこれらの実施の形態等に限定されず、種々の変形が可能である。
【００８１】
例えば、上記実施の形態等では、携帯端末と電気錠システムとの間でのデータのやり取りの手法（データのやり取りの順番や通信手法等）について具体的に説明したが、これらの手法には限られず、他の手法を用いてデータのやり取りを行うようにしてもよい。具体的には、例えば、変形例１において説明した手法の代わりに、携帯端末におけるソフトウェアのダウンロードの際に、所定のログイン処理等を実施することで、認証システムの部外者を弾くようにしてもよい。
【００８２】
また、例えば、認証システムに含まれる携帯端末および電気錠システムの各々の個数や、電気錠システムの構成態様（電気錠システムを構成する各ブロックを、１または複数の装置内に収容させる手法等）などについても、上記実施の形態等で説明したものには限られない。
【００８３】
更に、上記実施の形態等では、携帯端末および電気錠システムの構成例（機能ブロック構成例）について具体的に説明したが、これらの構成例には限られない。具体的には、例えば、本発明における「入力部」の具体例としては、上記実施の形態等で説明したテンキー（各数字および所定の英字のキーがマトリクス状に配置されたもの）には限られず、他の構造のものであってもよい。すなわち、例えば、マトリクス配列以外の他の配列構造のものであったり、押し方等によって数字や英字等が規定される構造のボタンなどであってもよい。
【００８４】
加えて、本発明は、集合住宅以外の他の集合建築物（例えば、オフィスビルや工場等）にも適用することが可能である。
【符号の説明】
【００８５】
１，１Ｂａ，１Ｂｂ…携帯端末、１１…通信部、１２，１２Ｂ…記憶部、１３…制御部、２，２Ａ，２Ｂａ，２Ｂｂ，２Ｃ…電気錠システム、２０…入力部（テンキー）、２１…通信部、２２，２２Ａ，２２Ｂ…記憶部、２３…制御部、２４，２４Ａ…制御機構、２５…電気錠、２９…ノブ、３，３Ａ，３Ｂ，３Ｃ…認証システム、４…携帯端末、６…扉、９…ユーザ、Ｃ１２…無線通信、Ｃ１０…通信、ＰＷin，ＰＷｍ，ＰＷｍ１，ＰＷｍ２，ＰＷｍａ，ＰＷｍｂ…暗証番号、Ｌ…利用許可端末番号リスト、ＩＤａ，ＩＤｂ…識別番号。
【図１】
2016166486.tif 000003
【図２】
2016166486.tif 000004
【図３】
2016166486.tif 000005
【図４】
2016166486.tif 000006
【図５】
2016166486.tif 000007
【図６】
2016166486.tif 000008
【図７】
2016166486.tif 000009